(57)【要約】      （修正有）【課題】簡単な操作で対象物を挟むことができるクリップを提供する。【解決手段】クリップは、可動可能に連結された１組のクリップ片２、３と、１組のクリップ片を上下方向から締めつける締め付け部６と、を備える。また、クリップ片の先端部が閉じるように付勢するばね５を備え、締め付け部は、頭部６１と軸部６２を有するスクリューと、スクリューを締結する雌ねじ部６３を含む。【選択図】図１
0003205647.tif 000002
【実用新案登録請求の範囲】
【請求項１】
可動可能に連結された１組のクリップ片と、
前記１組のクリップ片を上下方向から締めつける締め付け部と、
を備えるクリップ。
【請求項２】
請求項１に記載のクリップであって、
前記１組のクリップ片の先端部が閉じるように付勢するばね
を備えるクリップ。
【請求項３】
請求項１又は２に記載のクリップであって、
第１のクリップ片に設けられた貫通孔と、
第２のクリップ片に設けられたねじ孔と、を備え、
前記締め付け部は、前記貫通孔を通じて前記ねじ孔に締結されるスクリューを含む
クリップ。
【請求項４】
請求項１又は２に記載のクリップであって、
第１のクリップ片に設けられた貫通孔を備え、
前記締め付け部は、
前記貫通孔を通じて第２のクリップ片に固定される軸部と、
前記第１のクリップ片側の前記軸部の端部に取り付けられた先端部に回転可能に取り付けられた頭部と、
前記軸部に挿入され、前記頭部と前記第１のクリップ片の間に位置する押圧部材と、を含む
クリップ。
【請求項５】
請求項１又は２に記載のクリップであって、
第１のクリップ片に設けられた貫通孔を備え、
前記締め付け部は、
前記貫通孔を通じて第２のクリップ片に一端が固定される軸部と、
前記軸部の他端に形成された雄ねじが挿入される雌ねじ穴を有する頭部と、を含む
クリップ。
【請求項６】
請求項１又は２に記載のクリップであって、
前記締め付け部は、
第１のクリップ片に設けられたローラー部と、
第２のクリップ片に回転可能に設けられ、前記ローラー部の外周に係脱自在に係合する係合部と、を含む
クリップ。
【請求項７】
請求項１又は２に記載のクリップであって、
第１のクリップ片に設けられた第１の貫通孔と、
第２のクリップ片に設けられた第２の貫通孔と、を備え、
前記締め付け部は、
前記第１の貫通孔及び前記第２の貫通孔に挿入された軸部と、
前記軸部の一端に固定された固定部と、
前記軸部の他端に形成された雄ねじが挿入される雌ねじ穴を有する頭部と、を含む
クリップ。
【請求項８】
請求項１又は２に記載のクリップであって、
第１のクリップ片に設けられた貫通孔と、
第２のクリップ片に設けられたねじ孔と、を備え、
前記締め付け部は、前記貫通孔を通じて前記ねじ孔に締結されるスクリューを含み、
前記第１のクリップ片は、前記貫通孔から先端部に架けて、その周囲よりも剛性が高い肉厚部を有する
クリップ。
【請求項９】
請求項１〜８のいずれか一項に記載のクリップであって、
第１のクリップ片は、その先端部の内側に、凹部を有し、
第２のクリップ片は、その先端部の内側に、前記凹部に嵌合する凸部を有する
クリップ。
【請求項１０】
請求項１〜８のいずれか一項に記載のクリップであって、
前記１組のクリップ片の両先端部と反対側の後端部に、他の部材を通すための開口が形成されている
クリップ。
【請求項１１】
請求項１〜８のいずれか一項に記載のクリップであって、
前記１組のクリップ片の両外側に回転可能に設けられ、前記１組のクリップ片の前方又は後方に延びるようにセットされる１組の摘み部
を備えるクリップ。
【考案の詳細な説明】
【技術分野】
【０００１】
本考案は、クリップに関する。
【背景技術】
【０００２】
特許文献１には、一端部同士を回動自在に枢着した上下の締め付け片と、前記下側の締め付け片の他端部に軸着して回動自在に支持した係止片を備え、該係止片を前記上側の締め付け片の他端部に係止させて、上下の締め付け片の間に狭入された水枕の注排水口の締め付け状態を保持する水枕用締め付け具、について記載されている。
【先行技術文献】
【特許文献】
【０００３】
【特許文献１】特開２００８−０００３９５号公報
【考案の概要】
【考案が解決しようとする課題】
【０００４】
特許文献１に開示されるような水枕用締め付け具は、上下の締め付け片を閉じた後、係止片で上側の締め付け片を係止するまでは、水枕の注排水口を挟んだ状態で固定することができない。そのため、水枕と締め付け具の両方を上手く扱わないと、締め付け作業中に、水枕の注排水口から水が漏れだすおそれがある。
【０００５】
本考案の目的は、簡単な操作で対象物を挟むことにある。
【課題を解決するための手段】
【０００６】
上記の課題を解決する本発明の一態様は、クリップであって、可動可能に連結された１組のクリップ片と、前記１組のクリップ片を上下方向から締めつける締め付け部と、を備える。
【０００７】
上記のクリップは、前記１組のクリップ片の先端部が閉じるように付勢するばねを備えてもよい。
【０００８】
上記のクリップは、第１のクリップ片に設けられた貫通孔と、第２のクリップ片に設けられたねじ孔と、を備え、前記締め付け部は、前記貫通孔を通じて前記ねじ孔に締結されるスクリューを含んでもよい。
【０００９】
上記のクリップは、第１のクリップ片に設けられた貫通孔を備え、前記締め付け部は、前記貫通孔を通じて第２のクリップ片に固定される軸部と、前記第１のクリップ片側の前記軸部の端部に取り付けられた先端部に回転可能に取り付けられた頭部と、前記軸部に挿入され、前記頭部と前記第１のクリップ片の間に位置する押圧部材と、を含んでもよい。
【００１０】
上記のクリップは、第１のクリップ片に設けられた貫通孔を備え、前記締め付け部は、前記貫通孔を通じて第２のクリップ片に一端が固定される軸部と、前記軸部の他端に形成された雄ねじが挿入される雌ねじ穴を有する頭部と、を含んでもよい。
【００１１】
上記のクリップにおいて、前記締め付け部は、第１のクリップ片に設けられたローラー部と、第２のクリップ片に回転可能に設けられ、前記ローラー部の外周に係脱自在に係合する係合部と、を含んでもよい。
【００１２】
上記のクリップは、第１のクリップ片に設けられた第１の貫通孔と、第２のクリップ片に設けられた第２の貫通孔と、を備え、前記締め付け部は、前記第１の貫通孔及び前記第２の貫通孔に挿入された軸部と、前記軸部の一端に固定された固定部と、前記軸部の他端に形成された雄ねじが挿入される雌ねじ穴を有する頭部と、を含んでもよい。
【００１３】
上記のクリップは、第１のクリップ片に設けられた貫通孔と、第２のクリップ片に設けられたねじ孔と、を備え、前記締め付け部は、前記貫通孔を通じて前記ねじ孔に締結されるスクリューを含み、前記第１のクリップ片は、前記貫通孔から先端部に架けて、その周囲よりも剛性が高い肉厚部を有してもよい。
【００１４】
上記のクリップにおいて、第１のクリップ片は、その先端部の内側に、凹部を有し、第２のクリップ片は、その先端部の内側に、前記凹部に嵌合する凸部を有してもよい。
【００１５】
上記のクリップにおいて、前記１組のクリップ片の両先端部と反対側の後端部に、他の部材を通すための開口が形成されていてもよい。
【００１６】
上記のクリップは、前記１組のクリップ片の両外側に回転可能に設けられ、前記１組のクリップ片の前方又は後方に延びるようにセットされる１組の摘み部を備えてもよい。
【図面の簡単な説明】
【００１７】
【図１】本考案の第１実施形態に係るクリップの一例を示す図である。
【図２】本考案の第１実施形態に係るクリップの一例を示す図である。
【図３】本考案の第２実施形態に係るクリップの一例を示す図である。
【図４】本考案の第３実施形態に係るクリップの一例を示す図である。
【図５】本考案の第４実施形態に係るクリップの一例を示す図である。
【図６】水枕の一例を示す図である。
【図７】本考案の第５実施形態に係るクリップの一例を示す図である。
【図８】本考案の第６実施形態に係るクリップの一例を示す図である。
【図９】本考案の第７実施形態に係るクリップの一例を示す図である。
【図１０】本考案の第８実施形態に係るクリップの一例を示す図である。
【図１１】本考案の第８実施形態に係るクリップの一例を示す図である。
【図１２】本考案の第９実施形態に係るクリップの一例を示す図である。
【図１３】本考案の第１０実施形態に係るクリップの一例を示す図である。
【図１４】水枕の使い方の一例を示す図である。
【考案を実施するための形態】
【００１８】
以下、本考案の複数の実施形態について、図面を参照して説明する。
【００１９】
［第１実施形態］
図１及び図２は、本考案の第１実施形態に係るクリップの一例を示す図である。図１は、３つの状態（Ａ）〜状態（Ｃ）のクリップ１Ａの側面を示している。図２は、クリップ１Ａの上面（Ａ）及びクリップ１Ａの下面（Ｂ）を示している。
【００２０】
クリップ１Ａは、クリップ片２と、クリップ片３と、連結部４と、ばね５と、締め付け部６とから構成される。クリップ片２及びクリップ片３は、例えば、平板状に形成される。クリップ片２及びクリップ片３は、連結部４を介して互いに回転可能に連結されている。連結部４は、例えば、クリップ片２及びクリップ片３の向かい合う両面に接続されたヒンジにより構成される。ばね５は、例えば、ねじりコイルばねであり、ヒンジの軸周りの回転（クリップ１Ａを閉じる方向の回転）をクリップ片２及びクリップ片３に与えるように、クリップ片２及びクリップ片３の間に設置される。クリップ１Ａは、複数のばね５を有してもよい。また、ばね５のコイル部の外径や幅は、図示した例に限らず、より短くしてもよいし長くしてもよい。また、コイルばねの替わりに、板ばね等の他の種類のばねを用いてもよい。
【００２１】
これにより、クリップ片２及びクリップ片３の両先端部（図の左側）が互いに近付く（閉じる）ように付勢され、両先端部によって対象物Ｔを挟むことができる。ユーザーは、クリップ片２及びクリップ片３の両後端部（図１の右側）を指で挟むことにより、クリップ片２及びクリップ片３の両先端部を互いに離す（開く）ことができる。
【００２２】
締め付け部６は、頭部６１及び軸部６２を含むスクリューと、当該スクリューを締結するための雌ねじ部６３とを含む。軸部６２の外周の軸方向の少なくとも一部には、雄ねじが形成されている。雌ねじ部６３には、軸部６２を挿入するための雌ねじ孔（図示せず）が形成されている。また、クリップ片２には、軸部６２を上下方向に挿入するための貫通孔（図示せず）が形成されている。クリップ片３には、軸部６２を上下方向に通すように、クリップ片２の貫通孔と対向する位置に、雌ねじ部６３が取り付けられている。クリップ片２の貫通孔及びクリップ片３の雌ねじ部６３は、連結部４よりも先端部側に設けられる。頭部６１の径の寸法は、クリップ片２の貫通孔の径の寸法よりも大きい。なお、軸部６２の締め付けによって軸部６２とクリップ片３との角度の変化が起こるため、雌ねじ部６３は、図１（Ａ）上でクリップ片３に対して左右に多少動くように、余裕を設けて取り付けられるのが望ましい。
【００２３】
クリップ片２の貫通孔に軸部６２を通し、雌ねじ部６３に軸部６２を挿入して回転させる（スクリューを締結する）ことで、頭部６１の下面の少なくとも一部がクリップ片２の上面に当たる。これにより、クリップ片２及びクリップ片３の両先端部がより強く対象物Ｔを挟むように、締め付けることができる。なお、締め付け部６によって対象物Ｔを締め付けるため、ばね５によるクリップ１Ａの締め付け力は、締め付け部６による締め付け力ほどは必要でない（例えば、平均的な握力を持つユーザーが扱い易い程度にすればよい）。
【００２４】
クリップ片２、クリップ片３、連結部４、及び締め付け部６は、例えばプラスチック等の合成樹脂や金属等の材料で作ることができる。雌ネジや貫通孔は、金属の雌ネジやリングを合成樹脂にインサート成型することで作ってもよい。クリップ片２及びクリップ片３の両先端には、例えばシリコーンゴム等の材料で作られた滑り止めが設けられてもよい。なお、図１の例では、クリップ片２及びクリップ片３の両先端部の内側は、先端側から見た場合に、互いに当接する平面に形成されているが、互いに当接する曲面やジグザグ形状としてもよいし、互いに嵌り合うように凹凸形状としてもよい。また、クリップ片２及びクリップ片３の両先端部の内側は、側面から見た場合に、互いに当接する平面に形成されているが、互いに当接する曲面やジグザグ形状としてもよいし、互いに嵌り合うように凹凸形状としてもよい。
【００２５】
クリップ１Ａの使い方の一例を説明する。まず、ユーザーは、クリップ片２及びクリップ片３の両後端部（図１（Ａ）の右側）を摘むことで、クリップ片２及びクリップ片３の両先端部（図１（Ａ）の左側）を開いて、対象物Ｔを先端部の間に入れる（図１（Ａ））。それから、ユーザーは、クリップ片２及びクリップ片３の両後端部から手を離すことにより、クリップ片２及びクリップ片３の両先端部を閉じて、対象物Ｔを挟む（図１（Ｂ））。このような作業により、対象物Ｔに対するクリップ１Ａの位置を調整することができる。最後に、ユーザーは、スクリューの頭部６１を回転させる（図１（Ｃ））。これにより、決定したクリップ１Ａの位置で対象物Ｔを確実に締め付けることができる。
【００２６】
［第２実施形態］
図３は、本考案の第２実施形態に係るクリップの一例を示す図である。図２は、３つの状態（Ａ）〜状態（Ｃ）のクリップ１Ｂの側面を示している。第１実施形態と同様の構成には、同じ符号を付し、詳細な説明を省略する。
【００２７】
クリップ１Ｂは、クリップ片２と、クリップ片３と、連結部４と、ばね５と、締め付け部７とから構成される。
【００２８】
締め付け部７は、頭部７１と、軸部７２と、固定部７３と、押圧部材７４とを含む。頭部７１は、軸部７２に略直交する軸周りに回転可能に、軸部７２の上端に連結されている。頭部７１は、頂点側を曲面とした略円錐状であり、その底面７１１は、クリップ片２の方向とその他の方向に向けることができる。クリップ片２には、軸部７２を上下方向に挿入するための貫通孔（図示せず）が形成されている。クリップ片３には、クリップ片２の貫通孔と対向する位置に固定部７３が取り付けられている。軸部７２の先端部（頭部７１と反対側）は、固定部７３に固定される。押圧部材７４は、例えば、圧縮コイルばねであり、軸部７２に沿って上下方向に頭部７１及びクリップ片２を押圧するように、軸部７２に設置される。クリップ片２の貫通孔及びクリップ片３の固定部７３は、連結部４よりも先端部側に設けられる。頭部７１の径の寸法は、クリップ片２の貫通孔の径の寸法よりも大きい。締め付け部７は、例えばプラスチック等の合成樹脂や金属等の材料で作ることができる。
【００２９】
頭部７１を回転させて底面７１１をクリップ片２の方向に向けることで、底面７１１が押圧部材７４の上面を押圧する。そして、底面７１１により圧縮された押圧部材７４の下面が、クリップ片２の上面を押圧する。これにより、クリップ片２及びクリップ片３の両先端部がより強く対象物Ｔを挟むように、締め付けることができる。なお、締め付け部７によって対象物Ｔを締め付けるため、ばね５によるクリップ１Ｂの締め付け力は、締め付け部７による締め付け力ほどは必要でない（例えば、平均的な握力を持つユーザーが扱い易い程度にすればよい）。
【００３０】
クリップ１Ｂの使い方の一例を説明する。まず、ユーザーは、クリップ片２及びクリップ片３の両先端部を開いて、対象物Ｔを先端部の間に入れる（図３（Ａ））。それから、ユーザーは、クリップ片２及びクリップ片３の両後端部から手を離すことにより、クリップ片２及びクリップ片３の両先端部を閉じて、対象物Ｔを挟む（図３（Ｂ））。最後に、ユーザーは、頭部７１を回転させて底面７１１をクリップ片２の方向に向ける（図３（Ｃ））。
【００３１】
なお、本実施形態の変形例として、軸部７２の上端側の外周の少なくとも一部に雄ねじを形成し、軸部７２の雄ねじを挿入するための雌ねじ穴（図示せず）を有する雌ねじ部として頭部７１を構成してもよい。この場合、締め付け部７は、押圧部材７４を備えてもよいし備えていなくてもよい。さらにこの場合、締め付け部７は、押圧部材７４を備え、ばね５を省略してもよい。
【００３２】
［第３実施形態］
図４は、本考案の第３実施形態に係るクリップの一例を示す図である。図４は、３つの状態（Ａ）〜状態（Ｃ）のクリップ１Ｃの側面を示している。第１実施形態と同様の構成には、同じ符号を付し、詳細な説明を省略する。
【００３３】
クリップ１Ｃは、クリップ片２と、クリップ片３と、連結部４と、ばね５と、締め付け部８とから構成される。
【００３４】
締め付け部８は、ローラー部８１と、係合部８２とを含む。ローラー部８１は、クリップ片２の幅方向（図中の奥行き方向）と略平行な軸周りにローラーを回転可能に、クリップ片２の上面に設けられる。係合部８２は、クリップ片３の幅方向の軸周りに回転可能に、回転軸８３を介してクリップ片３に取り付けられる。また、係合部８２は、回転軸８３側の一端から、回転軸８３側の反対側の他端に至るまでに、ローラー部８１側に向けて角度が付けられた形状となっている。係合部８２には、ローラー部８１のローラーの外周に圧接して係合する係合領域８４が形成されている。このような係合部８２は、ローラーに対して係脱自在である。締め付け部８は、例えばプラスチック等の合成樹脂や金属等の材料で作ることができる。
【００３５】
係合部８２を回転軸８３周りに回転させて係合領域８４をローラーの外周に当接させることで、係合領域８４がローラーに圧接し、係合部８２がローラーに係合する。係合領域８４は、回転軸８３及びローラー部８１の軸芯を結ぶ直線ｘ１とローラー外周の交点とを超えた位置で、係合領域８４の角度ｘ３が、直線ｘ１と直交するローラー外周の接線ｘ２の角度を超えることにより、ローラー部８１に対して固定される。これにより、クリップ片２及びクリップ片３の両先端部がより強く対象物Ｔを挟むように、締め付けることができる。なお、締め付け部８によって対象物Ｔを締め付けるため、ばね５によるクリップ１Ｃの締め付け力は、締め付け部８による締め付け力ほどは必要でない（例えば、平均的な握力を持つユーザーが扱い易い程度にすればよい）。
【００３６】
クリップ１Ｃの使い方の一例を説明する。まず、ユーザーは、クリップ片２及びクリップ片３の両先端部を開いて、対象物Ｔを先端部の間に入れる（図４（Ａ））。それから、ユーザーは、クリップ片２及びクリップ片３の両後端部から手を離すことにより、クリップ片２及びクリップ片３の両先端部を閉じて、対象物Ｔを挟む（図４（Ｂ））。最後に、ユーザーは、係合部８２を回転させて係合領域８４をローラー部８１に圧接係合させる（図４（Ｃ））。
【００３７】
［第４実施形態］
図５は、本考案の第４実施形態に係るクリップの一例を示す図である。図５は、３つの状態（Ａ）〜状態（Ｃ）のクリップ１Ｄの側面を示している。第１実施形態と同様の構成には、同じ符号を付し、詳細な説明を省略する。
【００３８】
クリップ１Ｄは、例えば図６（水枕の一例を示す図）に示すような水枕Ｐに用いられる。水枕Ｐは、本体部Ｐ１と、注排水口Ｐ２と、ひれ部Ｐ３と、リングＰ４（「開口」ともいう）とを有する。本体部Ｐ１は、内部に水を格納するために中空となっており、当該内部空間は注排水口Ｐ２を介して外部に通じている。ひれ部Ｐ３は、本体部Ｐ１の、注排水口Ｐ２と反対側に接続されている。リングＰ４は、ひれ部Ｐ３に設けられており、例えば、紐などを通すあるいは引っ掛けるために使われる。水枕Ｐは、例えばゴム等により一体形成される。
【００３９】
クリップ１Ｄは、クリップ片２ａと、クリップ片３ａと、連結部４と、ばね５と、締め付け部９とから構成される。クリップ片２ａの内側の先端部には、クリップ片２ａの幅方向に沿って凹部が設けられている。クリップ片３ａの内側の先端部には、クリップ片３ａの幅方向に沿ってクリップ片２ａの凹部と嵌合する凸部が設けられている。これにより、クリップ片３ａの凸部が注排水口Ｐ２に食い込み易くなるので、より強く挟むことができる。
【００４０】
締め付け部９は、頭部９１と、軸部９２と、固定部９３とを含む。頭部９１には、軸部９２を挿入するための雌ねじ穴（図示せず）が形成されている。軸部９２の頭部９１側の外周の少なくとも一部には、雄ねじが形成されている。また、クリップ片２ａ及びクリップ片３ａには、軸部９２を上下方向に挿入するための貫通孔（図示せず）が形成されている。軸部９２の先端（頭部９１と反対側）は、固定部９３に固定される。頭部９１の径の寸法は、クリップ片２ａの貫通孔の径の寸法よりも大きい。また、固定部９３の径の寸法は、クリップ片３ａの貫通孔の径の寸法よりも大きい。また、固定部９３がクリップ片３ａに対して回転しないように、例えば、固定部９３を楕円柱形状とし、当該楕円柱形状の底部を収納する凹部をクリップ片３ａの外側面に設けてもよい。なお、頭部９１を雌ネジ部と呼び、軸部９２及び固定部９３をスクリューと呼んでもよい。
【００４１】
クリップ片２ａ及びクリップ片３ａの貫通孔に軸部９２を通した状態で、軸部９２の先端に頭部９１をセットして回転させることで、頭部９１の下面（クリップ片２ａと対向する面）の少なくとも一部がクリップ片２ａに当たる。これにより、クリップ片２ａ及びクリップ片３ａの両先端部がより強く水枕Ｐの注排水口Ｐ２を挟むように、締め付けることができる。なお、締め付け部９によって注排水口Ｐ２を締め付けるため、ばね５によるクリップ１Ｄの締め付け力は、締め付け部９による締め付け力ほどは必要でない（例えば、平均的な握力を持つユーザーが扱い易い程度にすればよい）。
【００４２】
クリップ片２ａ、クリップ片３ａ、及び締め付け部９は、例えばプラスチック等の合成樹脂や金属等の材料で作ることができる。雌ネジや貫通孔は、金属の雌ネジやリングを合成樹脂にインサート成型することで作ってもよい。クリップ片２ａ及びクリップ片３ａの両先端には、例えばシリコーンゴム等の材料で作られた滑り止めが設けられてもよい。
【００４３】
［第５実施形態］
図７は、本考案の第５実施形態に係るクリップの一例を示す図である。図７は、クリップ１Ｅの上面（Ａ）及びクリップ１Ｅの下面（Ｂ）を示している。第５実施形態のクリップ１Ｅは、第４実施形態のクリップ１Ｄの変形例である。第４実施形態と同様の構成には、同じ符号を付し、詳細な説明を省略する。
【００４４】
クリップ１Ｅは、クリップ片２ｂと、クリップ片３ｂと、連結部４（図示せず）と、ばね５（図示せず）と、締め付け部９ａ（一部を図示）とから構成される。クリップ片２ｂ及びクリップ片３ｂは、第４実施形態のクリップ片２ａ及びクリップ片３ａと形状において異なるが、第４実施形態と同様に構成される。締め付け部９ａは、第４実施形態の締め付け部９と形状において異なるが、第４実施形態と同様に構成される。
【００４５】
クリップ片２ｂの後端部（図の右側）には、紐などを通すあるいは引っ掛けるためリング１１（「開口」ともいう）が形成されている。また、クリップ片３ｂの後端部（図の右側）にも、紐などを通すあるいは引っ掛けるためリング１１が形成されている。リング１１は、クリップ片２ｂ及びクリップ片３ｂのいずれか一方に設けられていてもよい。例えば、紐Ｓの一端を水枕ＰのリングＰ４に引っ掛け、紐Ｓの他端をリング１１に引っ掛けることで、クリップ１Ｅが水枕と離れ離れになるのを防ぐことができる（図７（Ａ））。また、この紐Ｓを使えば、水枕Ｐを腕や脚、体に簡単に装着することができる。紐Ｓとしてベルト（伸縮材を用いたベルトであってもよい）を用いれば、水枕Ｐを腕や脚、体により簡単に装着することができる。これにより、局部を冷却したり温めたりすることが容易になるとともに、活動しながらの使用も容易になる。
【００４６】
水枕Ｐは、通常は水と氷を封入するが、図１４（水枕の使い方の一例を示す図）に示すように、湯たんぽのようにお湯を封入することもできる。特にお湯を入れる場合、注排水口Ｐ２の口径が広いと注入しにくい。そこで、ばね５の力によりクリップ１Ｅで注排水口Ｐ２の一部を挟持して閉じ、残りの開口にロートを挿してお湯を注ぎ、その後ばね５の力によりクリップ１Ｅで注排水口Ｐ２の全体を挟持して閉じ、締め付け部９ａで締め付けることで、安定して簡単にお湯を封入することができる。
【００４７】
［第６実施形態］
図８は、本考案の第６実施形態に係るクリップの一例を示す図である。図８は、クリップ１Ｆの上面斜視（Ａ）及びクリップ１Ｆの下面斜視（Ｂ）を示している。第６実施形態のクリップ１Ｆは、第１実施形態のクリップ１Ａの変形例である。第１実施形態と同様の構成には、同じ符号を付し、詳細な説明を省略する。
【００４８】
クリップ１Ｆは、クリップ片２ｃと、クリップ片３ｃと、連結部４（図示せず）と、ばね５（図示せず）と、締め付け部６ａ（一部を図示）とから構成される。クリップ片２ｃ及びクリップ片３ｃは、第１実施形態のクリップ片２及びクリップ片３と形状において異なるが、第１実施形態と同様に構成される。締め付け部６ａは、第１実施形態の締め付け部６と形状において異なるが、第１実施形態と同様に構成される。なお、締め付け部６ａは、上下を逆にしてクリップ１Ｆに設けられていてもよい。
【００４９】
クリップ１Ｆは、例えばベルトＢのバックルとして用いられる。クリップ片３ｃの後端部（図の左手前側）には、幅方向に沿って、ベルトＢの一端を通して引っ掛けるためスリット３２ｃ（「開口」ともいう）が形成されている。ベルトＢの他端は、クリップ片２ｃ及びクリップ片３ｃの両先端部により挟むことができる。これにより、クリップ１Ｆは、ベルトＢのバックルとして使用することができる。また、締め付け部６ａにより、クリップ片２ｃ及びクリップ片３ｃの両先端部がより強くベルトＢを挟むように、締め付けることができる。
【００５０】
また、クリップ片３ｃの内側の先端部には、クリップ片３ｃの幅方向に沿って凹部３１ｃが設けられている。クリップ片２ｃの内側の先端部には、クリップ片２ｃの幅方向に沿って凹部３１ｃと嵌合する凸部２１ｃが設けられている。これにより、クリップ片２ｃの凸部２１ｃがベルトＢに食い込み易くなるので、より強く挟むことができる。
【００５１】
また、クリップ１Ｆは、ベルトＢの他端が外側に飛び出ることがないため、スマートなデザインのバックルを実現できる。また、例えば、クリップ片２ｃあるいはクリップ３ｃの外面に装飾を施せば、お洒落なデザインのバックルを実現できる。なお、ベルトＢの長さは、少しの調整であればクリップ片２ｃ及びクリップ片３ｃに挟む長さで調整できるが、より多くの調整の場合はクリップ１Ｆ以外の調整手段（例えば、ベルトＢ自体の有する調整機構）を用いればよい。また、一般的なピンバックルを用いたベルトにおいて、ピンと反対側に設けられたベルトの端を挟むためのバックルに替えて、クリップ１Ｆを用いるようにしてもよい。
【００５２】
［第７実施形態］
図９は、本考案の第７実施形態に係るクリップの一例を示す図である。図９は、クリップ１Ｇの上面斜視を示している。第７実施形態のクリップ１Ｇは、第６実施形態のクリップ１Ｆの変形例である。第６実施形態と同様の構成には、同じ符号を付し、詳細な説明を省略する。
【００５３】
クリップ片３ｃの内側の先端部には、クリップ片３ｃの幅方向両端に受け穴３１ｄが設けられている。クリップ片２ｃの内側の先端部には、クリップ片２ｃの幅方向両端に、受け穴３１ｄと嵌合する突起部２１ｄが設けられている。これにより、クリップ片２ｃの突起部２１ｄがベルトＢに刺さるので、強固にベルトＢを把持することができる。
【００５４】
［第８実施形態］
図１０及び図１１は、第８実施形態に係るクリップの一例を示す図である。図１０は、２つの状態（Ａ）及び状態（Ｂ）のクリップ１Ｈの側面を示している。図１１は、２つの状態（Ａ）及び状態（Ｂ）のクリップ１Ｈの上面を示している。第８実施形態のクリップ１Ｈは、第１実施形態のクリップ１Ａの変形例である。第１実施形態と同様の構成には、同じ符号を付し、詳細な説明を省略する。
【００５５】
クリップ１Ｈは、クリップ片２と、クリップ片３と、連結部１２と、締め付け部６と、摘み部１３と、摘み部１４とから構成される。クリップ片２及びクリップ片３は、連結部１２を介して互いに回転可能に連結されている。連結部１２は、例えば、板ばねであり、その軸周りの回転（クリップ１Ｈを閉じる方向の回転）をクリップ片２及びクリップ片３に与えるように、クリップ片２及びクリップ片３の間に設置される。これにより、クリップ片２及びクリップ片３の両先端部（図の左側）が互いに近付く（閉じる）ように付勢され、両先端部によって対象物Ｔ（図示せず）を挟むことができる。なお、締め付け部６によって対象物Ｔを締め付けるため、連結部１２によるクリップ１Ｈの締め付け力は、締め付け部６による締め付け力ほどは必要でない（例えば、平均的な握力を持つユーザーが扱い易い程度にすればよい）。
【００５６】
摘み部１３は、平面視略Ｕ字型に形成されており、その両端部は回転軸部１５を介してクリップ片２の外側に連結されている。回転軸部１５の軸は、クリップ片２の幅方向に沿うように設定されている。摘み部１３は、回転軸部１５の軸周りに回転させることができる。同様に、摘み部１４は、平面視略Ｕ字型に形成されており、その両端部は回転軸部１６を介してクリップ片３の外側に連結されている。回転軸部１６の軸は、クリップ片３の幅方向に沿うように設定されている。
【００５７】
摘み部１３及び摘み部１４をクリップ１Ｈの後端側にセットした場合（図１０（Ａ）、図１１（Ａ））、ユーザーは、クリップ１Ｈの後方に延びる摘み部１３及び摘み部１４を指で摘むことにより、クリップ１Ｈを簡単に開くことが出来る。摘み部１３及び摘み部１４をクリップ１Ｈの先端側にセットした場合（図１０（Ｂ）、図１１（Ｂ））、クリップ１Ｈの前方に延びる摘み部１３及び摘み部１４が対象物Ｔ以外の物に衝突しにくくすることができる。
【００５８】
［第９実施形態］
図１２は、本考案の第９実施形態に係るクリップの一例を示す図である。図１２は、２つの状態（Ａ）及び状態（Ｂ）のクリップ１Ｉを示している。図１２のクリップ１Ｉは、第８実施形態のクリップ１Ｈの変形例である。第８実施形態と同様の構成には、同じ符号を付し、詳細な説明を省略する。
【００５９】
クリップ１Ｉは、クリップ片２ｅと、クリップ片３ｅと、連結部１２ｅと、締め付け部６ｅと、摘み部１３ｅと、摘み部１４ｅとから構成される。クリップ片２ｅ、クリップ片３ｅ、連結部１２ｅ、締め付け部６ｅと、摘み部１３ｅ、及び摘み部１４ｅは、第８実施形態の対応する各部と形状において異なるが、第８実施形態と同様に構成される。
【００６０】
クリップ１Ｉは、例えば紙の書類等の対象物Ｔを挟むペーパークリップとして用いられる。クリップ片２ｅ、クリップ片３ｅ、及び連結部１２ｅは、例えば薄い金属板に曲げ加工を施すことで一体形成することができる。クリップ片２ｅの先端部には、クリップ片３ｅの幅方向に沿って円筒状の把持部２１ｅが設けられている。クリップ片３ｅの先端部には、クリップ片３ｅの幅方向に沿って、把持部２１ｅが嵌合する凹部３１ｅが設けられている。これにより、クリップ片２ｅの把持部２１ｅの下面が対象物Ｔに食い込み易くなるので、より強く挟むことができる。
【００６１】
また、クリップ片２ｅには、締め付け部６ｅの軸部が挿入される貫通孔（不図示）から、把持部２１ｅに架けて、その周囲よりも剛性が高い肉厚部２２が設けられている。これにより、締め付け部６ｅを締め付けた際に、より強く対象物Ｔを挟むことができる。なお、把持部２１ｅや把持部２１ｅの下面にギザギザ状やとげ状の突起を設けてもよい。
【００６２】
［第１０実施形態］
図１３は、第１０実施形態に係るクリップの一例を示す図である。図１０は、２つの状態（Ａ）〜状態（Ｂ）のクリップ１Ｊの側面を示している。第１０実施形態のクリップ１Ｊは、第１実施形態のクリップ１Ａの変形例である。第１実施形態と同様の構成には、同じ符号を付し、詳細な説明を省略する。
【００６３】
クリップ１Ｊは、クリップ片２ｆと、クリップ片３ｆと、２つの連結部１７と、締め付け部６ｂとから構成される。クリップ片２ｆの内面は、先端部及び後端部よりも中間部が低くなるように（図中では上方向）形成されている。同様に、クリップ片３ｆの内面は、先端部及び後端部よりも中間部が低くなるように（図中では下方向）形成されている。２つの連結部１７は、締め付け部６ｂを挟んで先端部側と後端部側に設けられている。連結部１７は、例えば、引張コイルばねであり、クリップ片２ｆ及びクリップ片３ｆを引っ張る（クリップ１Ｊを閉じる）ように、その軸方向が上下方向に沿うようにクリップ片２及びクリップ片３の間に設置される。連結部１７の上下端は、クリップ片２ｆ及びクリップ片３ｆに形成された凸部に固定される。これにより、クリップ片２ｆ及びクリップ片３ｆの両先端部および両後端部を含む全体が互いに平行なまま近付く（閉じる）ように付勢され、両先端部によって対象物Ｔ（図示せず）を挟むことができる。
【００６４】
締め付け部６ｂは、頭部６１ｂ及び軸部６２ｂを含むスクリューと、当該スクリューを締結するための雌ねじ部６３ｂとを含む。軸部６２ｂの外周の軸方向の少なくとも一部には、雄ねじが形成されている。雌ねじ部６３ｂには、軸部６２ｂを挿入するための雌ねじ孔（図示せず）が形成されている。また、クリップ片２ｆには、軸部６２ｂを上下方向に挿入するための貫通孔（図示せず）が、略中央部に形成されている。クリップ片３ｆには、軸部６２を上下方向に通すように、クリップ片２ｆの貫通孔と対向する位置に、貫通孔（図示せず）が形成されている。頭部６１ｂの径の寸法は、クリップ片２ｆの貫通孔の径の寸法よりも大きい。雌ねじ部６３ｂの径の寸法は、クリップ片３ｆの貫通孔の径の寸法よりも大きい。
【００６５】
クリップ片２ｆの貫通孔に軸部６２ｂを通し、雌ねじ部６３ｂに軸部６２ｂを挿入して回転させる（スクリューを締結する）ことで、頭部６１ｂ及び雌ねじ部６３ｂによってクリップ片２ｆ及びクリップ３ｆが押圧される。これにより、クリップ片２ｆ及びクリップ片３ｆの両先端部がより強く対象物Ｔを挟むように、締め付けることができる。なお、締め付け部６ｂによって対象物Ｔを締め付けるため、連結部１７によるクリップ１Ｊの締め付け力は、締め付け部６ｂによる締め付け力ほどは必要でない（例えば、平均的な握力を持つユーザーが扱い易い程度にすればよい）。
【００６６】
以上、本考案の複数の実施形態について説明した。各実施形態によれば、簡単な操作で対象物を挟むことができる。また、簡単な操作で対象物をより強固に挟むことができる。例えば水枕は、クリップでそのばねの力のみで挟んだだけでは、手などで荷重を掛ければ中の水が注排水口から簡単に漏れ出てしまう。これを防ぐには、強力なばねが必要であるが、クリップの開閉が困難になる。各実施形態の締め付け部によって締め付け固定することで、注排水口からの水漏れを防ぐことができる。紙、布、紐などの他の対象物においても、より強固に挟むためには、締め付け固定することが効果的である。
【００６７】
なお、上記の本考案の各実施形態は、本考案の要旨と範囲を例示することを意図し、限定するものではない。本考案は、本考案の要旨の範囲内で種々の変形実施が可能である。また、上述の各実施形態及び各変形例を適宜組み合わせることも可能である。もちろん、上述のある実施形態の一部の構成を、他の実施形態に加えたり、他の実施形態の一部の構成と置換したりしてもよい。
【００６８】
例えば、第１実施形態において、雌ねじ部６３を用いずに、クリップ片３に雌ネジ孔を形成し、軸部６２を当該雌ネジ孔に締結するようにしてもよい。第６実施形態、第７実施形態、第８実施形態、及び第９実施形態についても同様である。また例えば、第２実施形態において、固定部７３を用いずに、クリップ片３に軸部７２の先端部を直接固定してもよい。
【００６９】
また例えば、第８実施形態の摘み部１３及び摘み部１４は、他の各実施形態のクリップにも設けられてもよい。
【００７０】
また例えば、各実施形態のクリップは、複数の締め付け部を備えるようにしてもよい。クリップが幅広である場合などには、複数の締め付け部をそれぞれ徐々に締め付けることにより、全体を平均的に締め付けることができる。
【００７１】
また例えば、第１０実施形態の連結部１７の構造を、他の実施形態に適用してもよい。
【００７２】
なお、各実施形態や各変形例のクリップの寸法、形状等は、本考案の目的を達成できれば、図示した例に限られない。クリップの寸法や形状は、挟む対象物に応じて適宜決定されればよい。例えば、水枕や氷嚢の注排水口に使用される場合、クリップ片の両先端部の幅寸法は、注排水口を密閉できるように、挟まれた状態の注排水口の幅寸法以上であるのが望ましい（例えば図７参照）。
【００７３】
本考案は、クリップ、当該クリップを用いた挟持方法等の様々な態様によって提供することができる。また、本考案は、水枕、ベルト、書類等に限られず、様々な対象物に用いることができる。水枕は、頭や額を冷やすためのものだけでなく、体の各部を冷やしたり温めたりするものをも含むことができる。また、本考案は、液体、固体、若しくは気体、又はこれらの組み合わせを主に封入する容器に利用することができる。
【符号の説明】
【００７４】
１（１Ａ、１Ｂ、１Ｃ、１Ｄ、１Ｅ、１Ｆ、１Ｇ、１Ｈ、１Ｉ、１Ｊ）…クリップ、２（２ａ、２ｂ、２ｃ、２ｅ、２ｆ）…クリップ片、３（３ａ、３ｂ、３ｃ、３ｅ、３ｆ）…クリップ片、４…連結部、５…ばね、６（６ａ、６ｂ、６ｅ）…締め付け部、７…締め付け部、８…締め付け部、９（９ａ）…締め付け部、１１…リング、１２（１２ｅ）…連結部、１３（１３ｅ）…摘み部、１４（１４ｅ）…摘み部、１５…回転軸部、１６…回転軸部、１７…連結部、２１ｃ…凸部、２１ｄ…突起部、２１ｅ…把持部、２２…肉厚部、３１ｃ…凹部、３１ｄ…受け穴、３１ｅ…凹部、３２ｃ…スリット、６１（６１ｂ）…頭部、６２（６２ｂ）…軸部、６３（６３ｂ）…雌ねじ部、７１…頭部、７２…軸部、７３…固定部、７４…押圧部材、８１…ローラー部、８２…係合部、８３…回転軸、８４…係合領域、９１…頭部、９２…軸部、９３…固定部、７１１…底面、Ｂ…ベルト、Ｐ…水枕、Ｐ１…本体部、Ｐ２…注排水口、Ｐ３…ひれ部、Ｐ４…リング、Ｓ…紐、Ｔ…対象物
【図１】
0003205647.tif 000003
【図２】
0003205647.tif 000004
【図３】
0003205647.tif 000005
【図４】
0003205647.tif 000006
【図５】
0003205647.tif 000007
【図６】
0003205647.tif 000008
【図７】
0003205647.tif 000009
【図８】
0003205647.tif 000010
【図９】
0003205647.tif 000011
【図１０】
0003205647.tif 000012
【図１１】
0003205647.tif 000013
【図１２】
0003205647.tif 000014
【図１３】
0003205647.tif 000015
【図１４】
0003205647.tif 000016